【手続補正書】
【提出日】令和3年3月9日(2021.3.9)
【手続補正１】
【補正対象書類名】明細書
【補正対象項目名】発明の名称
【補正方法】変更
【補正の内容】
【発明の名称】表示装置、表示システム、表示方法、表示プログラム
【手続補正２】
【補正対象書類名】明細書
【補正対象項目名】０００１
【補正方法】変更
【補正の内容】
【０００１】
本発明は、テキスト等の文字の表示に好適な表示装置、表示システム、表示方法、および表示プログラムに関する。
【手続補正３】
【補正対象書類名】明細書
【補正対象項目名】０００６
【補正方法】変更
【補正の内容】
【０００６】
本発明は、このような課題に鑑みなされたもので、テキストを読み易く表示させることが可能になる表示装置、表示システム、表示方法、および表示プログラムを提供することを目的とする。
【手続補正４】
【補正対象書類名】明細書
【補正対象項目名】０００７
【補正方法】変更
【補正の内容】
【０００７】
本発明に係る表示装置は、表示部に表示されているテキストデータに含まれる各文字の文字コードが変換対象となる文字の文字コードであるか否かを判別し、変換対象であると判別された文字の文字コードに対応する変換後の文字の文字コードを外部のデータ提供装置から取得し、前記表示部に表示された前記テキストデータに含まれる各文字のうちの変換対象であると判別された文字を、前記取得した変換後の文字の文字コードに対応する文字に変換して表示させる、変換処理を実行する制御部を備える。
【手続補正５】
【補正対象書類名】特許請求の範囲
【補正対象項目名】全文
【補正方法】変更
【補正の内容】
【特許請求の範囲】
【請求項１】
表示部に表示されているテキストデータに含まれる各文字の文字コードが変換対象となる文字の文字コードであるか否かを判別し、
変換対象であると判別された文字の文字コードに対応する変換後の文字の文字コードを外部のデータ提供装置から取得し、
前記表示部に表示された前記テキストデータに含まれる各文字のうちの変換対象であると判別された文字を、前記取得した変換後の文字の文字コードに対応する文字に変換して表示させる、
変換処理を実行する制御部を備えた表示装置。
【請求項２】
前記制御部は、前記表示部に新たなテキストデータが表示されたことに応じて、前記新たなテキストデータを対象として前記変換処理を実行する、
請求項１に記載の表示装置。
【請求項３】
前記制御部は、前記表示部の前記テキストデータを表示している画面がスクロールされたことに応じて、前記スクロールにより新たに表示されたテキストデータを対象として前記変換処理を実行する、
請求項２に記載の表示装置。
【請求項４】
前記制御部は、
第１モードと第２モードのいずれかを選択的に設定し、
前記第１モードが設定されている場合には、前記表示部に表示されているテキストデータを対象として前記変換処理を実行し、
前記第２モードが設定されている場合には、前記変換処理を実行せずに、変換対象の文字の文字コードと変換後の文字の文字コードとが対応付けられた文字変換データを前記外部のデータ提供装置から取得する変換データ取得処理を実行する、
請求項１乃至３のいずれか１項に記載の表示装置。
【請求項５】
前記制御部は、
変換対象の文字の文字コードと変換後の文字の文字コードとの組を複数記憶する文字変換テーブルを生成する場合に、
前記第１モードが設定されている場合には、前記外部のデータ提供装置に送信した変換対象の文字の文字コードと、前記外部のデータ提供装置から受信した変換後の文字の文字コードとを対応付けて前記文字変換テーブルを生成し、
前記第２モードが設定されている場合には、前記外部のデータ提供装置から受信した前記文字変換データに基づいて前記文字変換テーブルを生成する、
請求項４に記載の表示装置。
【請求項６】
前記外部のデータ提供装置との間で通信を行う通信部を備え、
前記制御部は、
前記第１モードが設定されている場合には、前記外部のデータ提供装置に対して変換対象の文字の文字コードとともに文字変換要求を送信し、この文字変換要求に応答して前記外部のデータ提供装置から送信されてくる文字コードを前記変換対象の文字の文字コードに対応する前記変換後の文字の文字コードとして前記文字変換テーブルを生成し、
前記第２モードが設定されている場合には、前記外部のデータ提供装置に対して文字変換データ取得要求を送信し、この文字変換データ取得要求に応答して前記外部のデータ提供装置から送信されてくる文字コードの組を前記文字変換データとして前記文字変換テーブルを生成する、
請求項５に記載の表示装置。
【請求項７】
前記制御部は、
前記第１モードが設定されている場合には、前記表示部に表示されているテキストデータに含まれる複数の文字を対象として、各文字の文字コードが変換対象であるか否かを順番に判別し、変換対象であると判別された文字の文字コードに対応する変換後の文字の文字コードを前記外部のデータ提供装置から順番に取得し、前記表示部に表示された前記テキストデータに含まれる変換対象の文字を、前記順番に取得される変換後の文字の文字コードに対応する文字となるように順番に変換して表示させるようにして前記変換処理を実行し、
前記第２モードが設定されている場合には、変換対象の文字の文字コードと変換後の文字の文字コードとが対応付けられた文字変換データを複数一括して前記外部のデータ提供装置から取得する、
請求項４に記載の表示装置。
【請求項８】
前記制御部は、
前記生成された前記文字変換テーブルに基づき、前記表示部に表示されているテキストデータに含まれる複数の変換対象の文字それぞれを変換後の文字に変換して表示させる、
請求項５に記載の表示装置。
【請求項９】
前記変換対象の文字は旧漢字であり、前記変換後の文字は新漢字である、
請求項１乃至３のいずれか１項に記載の表示装置。
【請求項１０】
変換対象の文字の文字コードと変換後の文字の文字コードとを１対１で対応付けた文字変換テーブルを記憶し、
前記制御部は、前記表示部に表示されている前記テキストデータに含まれる複数の文字について、各文字の文字コードが前記文字変換テーブル内の変換対象の文字の文字コードとして記憶されているか否かを判別し、変換対象の文字の文字コードとして記憶されていると判別された場合には、変換対象であると判別された文字の文字コードと１対１に対応付けられている変換後の文字の文字コードを取得し、変換対象であると判別された文字を、取得した文字コードに対応する変換後の文字に変換して表示させる、
請求項１乃至３のいずれか１項に記載の表示装置。
【請求項１１】
前記制御部は、変換対象であると判別された文字を、前記変換対象であると判別された文字の文字コードと１対１に対応付けられている変換後の文字の文字コードに対応する文字に変換して表示するが、前記変換対象であると判別された文字の文字コードと１対１に対応付けられていない他の文字コードに対応する文字には変換して表示しない、
請求項１０に記載の表示装置。
【請求項１２】
表示装置とデータ提供装置とが通信可能に接続されている表示システムであって、
前記データ提供装置は、
複数の第１文字の文字コードそれぞれに対応させて複数の第２文字の文字コードを予め記憶した辞書データベースと、
前記表示装置からの要求に応じて前記辞書データベースに記憶されている文字コードを前記表示装置に送信する第１制御部と、を有し、
前記表示装置は、
前記第１文字の文字コードと前記第２文字の文字コードとの対応関係を示す変換テーブルを記憶することが可能なメモリと、
前記データ提供装置に対して、少なくとも前記第１文字の文字コードに対応する前記第２文字の文字コードを送信させる要求を行い、前記要求に応じて前記データ提供装置から受信した文字コードに基づいて前記変換テーブルの生成または更新を行う第２制御部と、を有する、
表示システム。
【請求項１３】
前記表示装置は、
前記辞書データベースを予め記憶しておらず、
表示部に表示されているテキストデータに含まれる第１文字を第２文字に変換する必要が生じた場合に、前記データ提供装置に対して、少なくとも前記第１文字の文字コードに対応する前記第２文字の文字コードを送信させる要求を行い、前記要求に応じて前記データ提供装置から受信した文字コードに基づき前記変換テーブルの生成または更新を行う、
請求項１２に記載の表示システム。
【請求項１４】
前記表示装置は、
第１モードと第２モードのいずれかを選択的に設定し、
前記第１モードが設定されている場合には、前記表示部に表示されているテキストデータに含まれる第１文字を第２文字に変換する必要が生じたときに、前記データ提供装置に対して、前記第１文字の文字コードとともに文字変換要求を送信し、この文字変換要求に応じて前記データ提供装置から受信した前記第２文字の文字コードと、前記データ提供装置に送信した前記第１文字の文字コードとを対応付けて前記変換テーブルの生成または更新を行う第１処理を実行し、
前記第２モードが設定されている場合には、前記表示部に表示されているテキストデータに含まれる第１文字を第２文字に変換する必要が生じているか否かに係わらず、前記データ提供装置に対して、前記第１文字の文字コードと前記第２文字の文字コードとの対応関係を示す対応データを送信させる要求を行い、前記要求に応じて前記データ提供装置から受信した前記対応データに基づいて前記変換テーブルの生成または更新を行う第２処理を実行し、
前記データ提供装置は、
前記表示装置から、前記第１文字の文字コードとともに文字変換要求を受信した場合には、受信した前記第１文字の文字コードに対応する前記第２文字の文字コードを前記辞書データベースから取得して前記表示装置に送信し、
前記表示装置から、前記対応データの送信要求を受信した場合には、前記第１文字の文字コードと前記第２文字の文字コードとの対応関係を示す対応データを前記辞書データベースから取得して前記表示装置に送信する、
請求項１３に記載の表示システム。
【請求項１５】
テキストデータの表示方法であって、
表示装置が、
表示部に表示されているテキストデータに含まれる各文字の文字コードが変換対象となる文字の文字コードであるか否かを判別し、
変換対象であると判別された文字の文字コードに対応する変換後の文字の文字コードを外部のデータ提供装置から取得し、
前記表示部に表示された前記テキストデータに含まれる各文字のうちの変換対象であると判別された文字を、前記取得した変換後の文字の文字コードに対応する文字に変換して表示させる、
変換処理を実行する表示方法。
【請求項１６】
表示装置が、前記表示部に新たなテキストデータが表示されたことに応じて、前記新たなテキストデータを対象として前記変換処理を実行する、
請求項１５に記載の表示方法。
【請求項１７】
テキストデータの表示方法であって、
表示装置とデータ提供装置とが通信可能に接続され、
前記データ提供装置は、
複数の第１文字の文字コードそれぞれに対応させて複数の第２文字の文字コードを予め記憶した辞書データベースを予め記憶し、
前記表示装置からの要求に応じて前記辞書データベースに記憶されている文字コードを前記表示装置に送信し、
前記表示装置は、
前記第１文字の文字コードと前記第２文字の文字コードとの対応関係を示す変換テーブルを記憶することが可能なメモリを有し、
前記データ提供装置に対して、少なくとも前記第１文字の文字コードに対応する前記第２文字の文字コードを送信させる要求を行い、前記要求に応じて前記データ提供装置から受信した文字コードに基づいて前記変換テーブルの生成または更新を行う、
表示方法。
【請求項１８】
前記表示装置は、
前記辞書データベースを予め記憶しておらず、
表示部に表示されているテキストデータに含まれる第１文字を第２文字に変換する必要が生じた場合に、前記データ提供装置に対して、少なくとも前記第１文字の文字コードに対応する前記第２文字の文字コードを送信させる要求を行い、前記要求に応じて前記データ提供装置から受信した文字コードに基づき前記変換テーブルの生成または更新を行う、
請求項１７に記載の表示方法。
【請求項１９】
コンピュータに、
表示部に表示されているテキストデータに含まれる各文字の文字コードが変換対象となる文字の文字コードであるか否かを判別し、
変換対象であると判別された文字の文字コードに対応する変換後の文字の文字コードを外部のデータ提供装置から取得し、
前記表示部に表示された前記テキストデータに含まれる各文字のうちの変換対象であると判別された文字を、前記取得した変換後の文字の文字コードに対応する文字に変換して表示させる、
処理を実行させるプログラム。